(57)【要約】    【課題】改善された安定性と、より高い回転静粛性とを有する冒頭に挙げた形式のロータならびにアダプタを構築する。    【解決手段】本発明に係るロータは、遠心機容器を収容するための少なくとも１つの凹所１０を有する上方へ開いたロータハウジング１を有する実験室遠心機用ロータにおいて、凹所１０がロータの周辺領域に内壁４０および外壁３０を有する同心的に取り囲む環状槽４として設けられており、かつ環状槽４が半径方向および該環状槽４の円周上に配分して配設される遠心機容器によって、遠心機容器が内壁４０および外壁３０を互いに曲げに強く支持するように、スポーク状に補強される。【選択図】  図１
2006175439.tif 000002
【特許請求の範囲】
【請求項１】
遠心機容器（１１ａ、１１ｂ、１１ｃ、２４ａ、２４ｂ、２４ｃ、２４ｄ、２４ｅ）を収容するための少なくとも１つの凹所を有する、上方へ開いたロータハウジング（１）を有する実験室遠心機用ロータであって、前記凹所がロータの周辺領域に内壁（４０）および外壁（３０）を有する、同心的に取り囲む環状槽（４）として設けられたロータにおいて、
環状槽（４）が、半径方向および該環状槽の円周上に配分して配設される遠心機容器（１１ａ、１１ｂ、１１ｃ、２４ａ、２４ｂ、２４ｃ、２４ｄ、２４ｅ、２４ｆ、２４ｇ）によって、遠心機容器（１１ａ、１１ｂ、１１ｃ、２４ａ、２４ｂ、２４ｃ、２４ｄ、２４ｅ）が内壁および外壁（３０、４０）を互いに曲げに強く支持するように、スポーク状に補強されることを特徴とするロータ。
【請求項２】
ロータ円周方向への遠心機容器（１１ｃ、２４ａ、２４ｂ、２４ｃ）の最大壁強度（ｂ）がロータ半径方向への遠心機容器（１１ｃ、２４ａ、２４ｂ、２４ｃ）の最大壁強度（ｃ）よりも大きいことを特徴とする請求項１記載のロータ。
【請求項３】
遠心機容器（１１ｃ、２４ａ、２４ｂ、２４ｃ）が外壁（３１）の内側に平坦に当接することを特徴とする請求項１または２記載のロータ。
【請求項４】
取り囲む環状槽（４）がその外壁（３１）の内側の領域で凹所（１０ａ、１０ｂ、１０ｃ、１０ｄ）を有し、その中で遠心機容器（１１ｃ、２４ａ、２４ｂ、２４ｄ）が当接することを特徴とする請求項３記載のロータ。
【請求項５】
凹所（１０ａ、１０ｂ、１０ｃ、１０ｄ）が内壁（４２）の外側と環状槽（４）の外壁（３２）の外側との間の半分の間隔（ａ）よりも大きい各々１つの第１の半径（Ｒ１）を有することを特徴とする請求項４記載のロータ。
【請求項６】
第１の半径（Ｒ１）が第１の円弧部分（１５）に帰属しており、その端部に第１の半径（Ｒ１）よりも小さい第２の半径（Ｒ２）を有する各々１つの別の円弧部分（１５）が続くことを特徴とする請求項５記載のロータ。
【請求項７】
凹所（１０、１０ａ、１０ｂ、１０ｃ、１０ｄ）が環状槽（４）の底面方向へ円錐形に先細になることを特徴とする請求項４ないし６のいずれか一項記載のロータ。
【請求項８】
遠心機容器（２４ｄ）がロータ内に保持され、かつ軸線方向の移動に対して確保される少なくとも１つの押え体（２６）を設けることを特徴とする請求項１ないし７のいずれか一項記載のロータ。
【請求項９】
遠心機容器（２４ｅ）が遠心機容器（２４ｅ）の閉鎖および補強のために各々１つの曲げに強い蓋（２６）を有することを特徴とする請求項１ないし８のいずれか一項記載のロータ。
【請求項１０】
ロータハウジング（１）が金属、合金または繊維強化プラスチックから形成されることを特徴とする請求項１ないし９のいずれか一項記載のロータ。
【請求項１１】
遠心機容器（２４ｅ）が少なくとも部分的に金属から製造されることを特徴とする請求項１ないし１０のいずれか一項記載のロータ。
【請求項１２】
遠心機容器（２４ｅ）が少なくとも部分的に炭素繊維複合方式で製造されることを特徴とする請求項１ないし１１のいずれか一項記載のロータ。
【請求項１３】
環状槽（４）の底面領域に遠心機容器（１１ａ、１１ｂ、１１ｃ、２４ａ、２４ｂ、２４ｃ、２４ｄ、２４ｅ、２４ｆ、２４ｇ）の位置決め用の位置決め手段を設けたことを特徴とする請求項１ないし１２のいずれか一項記載のロータ。
【請求項１４】
サンプル容器（１１ａ、１１ｂ）の収容と、少なくとも１つのアダプタ（２４ａ、２４ｂ、２４ｃ）の収容とのために少なくとも１つの凹所を備えた、上方へ開いたロータハウジング（１）を有する実験室遠心機用ロータの中に挿入されるアダプタであって、前記凹所がロータの周辺領域に内壁（４０）および外壁（３０）を有する、同心的に取り囲む環状槽（４）として設けられたロータの中に挿入されるアダプタにおいて、
ロータ円周方向へのアダプタ（２４ａ、２４ｂ、２４ｃ）の最大壁強度（ｂ）がロータ半径方向へのアダプタ（２４ａ、２４ｂ、２４ｃ）の最大壁強度（ｃ）よりも大きいことを特徴とするアダプタ。
【請求項１５】
アダプタ（２４ａ、２４ｃ）が楕円形の外部輪郭を有し、該アダプタがその長手側の頂点領域で取り囲む環状槽（４）の内壁（３１、４１）に当接することを特徴とする請求項１４記載のアダプタ。
【請求項１６】
アダプタが三角形の外部輪郭（２４ｂ）を有し、該アダプタが片側で平面的に取り囲む環状槽（４）の外壁（３１）の内側に当接することを特徴とする請求項１４記載のアダプタ。
【請求項１７】
アダプタ（２４ｃ）が中心軸に対して偏心的にサンプル容器（１１ａ、１１ｂ、１１ｃ）が挿入可能である凹所（２５）を有することを特徴とする請求項１４または１５記載のアダプタ。
【請求項１８】
アダプタ（２４ａ、２４ｂ、２４ｃ）が環状槽４の内面と固着されることを特徴とする請求項１４ないし１７のいずれか一項記載のアダプタ。
【発明の詳細な説明】
【技術分野】
【０００１】
本発明は、遠心機容器を収容するための少なくとも１つの凹所を有し、前記凹所がロータの周辺領域に内壁および外壁を有する同心的に取り囲む環状槽として設けられた、上方へ開いたロータハウジングを有する実験室遠心機用ロータと、サンプル容器の収容およびこのような実験室遠心機用ロータの中に挿入するためのアダプタとに関する。
【背景技術】
【０００２】
この関連性において、遠心機容器は一方で被遠心分離サンプルが配設されるサンプル容器とすることができる。他方では、遠心機容器はロータの中に挿入可能であり、さらにその中にサンプル容器を挿入できるアダプタとすることもできる。
【０００３】
実験室遠心機用ロータは、その中に被遠心分離物質が含まれる遠心機容器を収容するために用いられる。遠心機容器は、たとえば反応性ガラスのように、そのために好ましくは多様にロータ内に設けられた円筒形の凹所の中に配置することができ、これは特許文献に開示されている（特許文献１参照）。
【０００４】
特許文献にサンプル物質を収容するための凹所を有する遠心機用アングルヘッドが記載されている（特許文献２参照）。凹所はロータの周辺領域に同心的に取り囲む環状溝として形成されており、これは該環状溝の周縁部にロータ軸方向に見て軸対称性に配設される上方へ先細になる円錐台によって制限されている。環状溝の外壁は、上方へ先細になる中空円錐台の形態に形成されている。遠心機容器は並列にロータの凹所内に配設されている。環状溝として凹所を形成することによってロータの重量が低減され、これは有利にロータの遠心分離特性に影響する。つまり、たとえば一様の回転速度でロータに作用する向心力が減少する。他方では、取り囲む凹所がより少ない質量と中空円錐台としての形成とによってロータ周辺領域の抵抗が遠心力に対して低減されるので、ロータの安定性を低下させる。つまり特に下部のロータハブ上に突出する環状溝の周辺領域内でロータハウジングに損傷および破壊を生じ得る。また環状溝を形成するために、たとえば遠心機容器の不均一な充填時や遠心機の不均一な負荷時に、遠心分離工程中のロータ本体の長楕円化を生じる。これは不均衡を発生し、かつ不安定な遠心分離を生ぜしめる。
【０００５】
さらに、この構造において必要な高い仕上精度によって、不精確さが遠心機容器の嵌合で環状溝内に発生し、これがさらに常時変動する不均衡と、定回転数で共振振動とを生じ得る危険がある。
【特許文献１】米国特許第５，４１１，４６５号明細書
【特許文献２】ドイツ連邦共和国特許出願公開第３７０３５１４号Ａ１明細書
【発明の開示】
【発明が解決しようとする課題】
【０００６】
上記背景に対して本発明の基礎をなす課題は、改善された安定性と、より高い回転静粛性とを有する冒頭に挙げた形式のロータならびにアダプタを構築することである。この課題の解決策は、請求項１記載のロータと、請求項１４記載のアダプタとによって達成される。有利な実施形態は各従属請求項から読み取られる。
【課題を解決するための手段】
【０００７】
本発明に係る実験室遠心機用ロータは、少なくとも１つの遠心機容器を収容するための少なくとも１つの凹所を備える上方へ開いたロータハウジングを有し、前記凹所はロータの周辺領域で内壁および外壁を有する同心的に取り囲む環状槽として設けられている。有利には、内壁がロータ軸方向に見て軸対称性に配設される上方へ先細になる円錐台として、かつ外壁が上方へ先細になる中空円錐台として形成されている。さらに環状槽は、半径方向および該環状槽の円周上に配分して配設される遠心機容器が、前記遠心機容器が内壁および外壁を互いに曲げに強く支持するように、スポーク状に補強されている。遠心機容器は、環状槽の補強のために形成されており、その結果、本質的に均一に配分される遠心機容器を装着した環状槽が「スポークホイール」と同様に作用する。ロータ本体の長楕円化が回避される。内壁および外壁相互を支持することによって、環状槽はより強い遠心力に耐えることができる。特に好ましくは、シェル型ロータの場合の遠心機容器のスポーク作用である。
【発明の効果】
【０００８】
有利な一実施形態において、ロータ円周方向への遠心機容器の最大壁強度はロータ半径方向への遠心機容器の最大壁強度よりも大きい。円周方向への遠心機容器の壁強度の拡大によって、ロータの安定性は、ロータハウジングの収容能力が半径方向に作用する遠心力によって増加する場合、さらに改善される。ロータハウジングに作用する遠心力は、円周方向へより大きい最大壁強度によって、より大きい横断面に配分可能であり、それによって全体的に個々のスポークとして作用する遠心機容器で応力が減少する。この場合は、円周方向の壁強度が遠心機容器の全長にわたって拡大されており、かつ壁強度が半径方向にも円周方向にも本質的に一定に形成されることが有利である。遠心機容器の壁の形状は、円周方向の最大壁強度が半径方向よりも大きい場合に限り、基本的に任意に形成してよい。さらに遠心機容器のスポーク作用の強化によってロータでの損傷の危険性が減少する。
【０００９】
別の有利な一実施形態において、遠心機容器は平坦に環状槽の外壁の内側に当接する。それによって、スポークとして作用する遠心機容器に点状の負荷が生じないことが保証される。それに代わり、遠心力は当接面上へ運び去ることができ、ロータの安定性が全体的に改善され、かつ損傷の危険性が遠心機容器で減少する。外壁の内側での平面的な当接に加えて、遠心機容器は環状槽の内壁の内側でも平坦に当接することができる。
【００１０】
外壁の内側での遠心機容器の平面的な当接を保証するために、外壁の内側に遠心機容器の収容のために形成されている凹所を設けることが有利である。さらに凹所の形成によって遠心機容器が環状槽の円周方向に位置決めされる。これは不均衡の低減と、改善された回転静粛性とを生じる。さらに環状槽の内壁の内側に連通する凹所を形成することが有利である。
【００１１】
有利には凹所が内壁の外側と環状槽の外壁の外側との間の半分の間隔よりも大きい各々１つの第１の半径を有する。これは、その結果環状槽の中に挿入される遠心機容器に対してより大きい当接面が作られるので好適である。遠心機容器は、該遠心機容器が形状嵌合式に凹所の中に嵌入されるように形成される。その結果より大きい凹所によって環状槽内に発生する物質損失は、対応する遠心機容器の形成によって再び満たされる。遠心機容器に対する確実な当接時に、それによってロータのより少ない軸受負荷で高い回転数を達成することができる。
【００１２】
別の有利な一実施形態において、第１の半径は第１の円弧部分に帰属しており、その端部に第１の半径よりも小さい第２の半径を有する各々１つの別の円弧部分が続く。第２の半径を有する円弧部分を利用して、それによって環状槽の円周方向への力をさらに良好に受け入れることができ、その結果、遠心機容器がさらに確実に保持される。さらにそれによって、遠心機容器がロータの半径方向へもロータの円周方向へも確実に当接できる最大当接面を作ることが可能である。半径を利用して、僅かな応力集中のみが環状槽もしくはロータハウジングの材料に発生することが達成される。
【００１３】
本発明の別の一実施形態に従って、凹所は、環状槽の底面方向へ円錐形に先細になるように該凹所が形成されている。それによって、さらに良好に環状槽内の遠心機容器の座が達成される。
【００１４】
環状槽の円周上に配分された遠心機容器のスポーク作用を強化するために、遠心機容器がロータ内に保持され、かつ長手軸線方向の移動に対して確保されている少なくとも１つの押え体を設けることが目的に適している。押え体を設けることによって遠心機容器が軸線方向に固定され、それによって非意図的または無資格の取り出しから保護されている。軸線移動に対する純粋な確保に加えて、押え体を利用して遠心機容器の押圧をロータ上に発生させることができる。この目的のために、少なくとも１つの押え体を介して遠心機容器に長手軸線方向に作用する力が取り込まれる。少なくとも１つの押え体による遠心機容器への長手軸線方向の力の取り込みがスポーク作用を補強し、さらに遠心分離の補強を改善する。同時にロータ内での遠心機容器の支承の安定性が改善される。
【００１５】
ロータに作用する遠心力によって、ロータ本体の場合だけでなく、個々の遠心機容器の場合も遠心分離工程中の長楕円化効果を生じ得る。この全ロータの安定性を低減する長楕円化効果を遠心機容器で回避するために、曲げに強い蓋を有する遠心機容器を設けることが目的に適している。この蓋によって遠心機容器が補強され、長楕円化が回避される。有利には、蓋は遠心機容器を密閉するためにも形成されている。遠心機容器での蓋の固定は、たとえばねじまたはクリップによって行うことができる。蓋は、好ましくは炭素繊維強化プラスチックまたは金属から形成されている。別法として蓋を破壊に強い透明のプラスチックから形成することが有利である。それによってアダプタとして形成される遠心機容器において蓋の開放前に、たとえばアダプタ内に有るサンプル容器が遠心分離工程中に損傷したか否かを見ることができる。さらに蓋が遠心機容器を生物学的に密閉するように形成される場合に目的に適している。それによって生物学的に危険な物質が遠心機容器から流出する可能性が回避される。
【００１６】
本発明の別の一実施形態に従って、ロータハウジングは金属、合金または繊維強化プラスチックから形成されている。金属または合金から形成する場合、軽金属もしくは軽合金を用いることが特に有利である。それによってロータハウジングもしくは本発明に係るロータの軽量かつ非常に堅牢な構造を作ることができると共に小さい慣性モーメントを達成することができる。軽金属材料として、たとえばアルミニウムまたはチタンが適している。これは、それによって僅かな重量のみを回転中にシフトする必要があり、それによってロータハウジングの慣性モーメントが低い値を有するので有利である。充分な安定性を保証できる場合、炭素繊維強化プラスチックもロータハウジング用の材料として使用可能である。回転するロータハウジングの不均衡を可能な限り小さく維持するために、環状槽内の全凹所に遠心機容器を装着することが有意義である。凹所は、好ましくは規則的な相互間隔で、たとえばロータ軸を基準に６０゜の角度で設けられている。
【００１７】
本発明の別の一実施形態に従って、遠心機容器は少なくとも部分的に金属または合金から製造されている。金属または合金の使用によって遠心機容器の自己担持構造が保証され、容器の力受容能力が改善される。製造のために、たとえば鋼、アルミニウムまたはチタンを使用してよい。
【００１８】
択一的または付加的に、遠心機容器は少なくとも部分的に炭素繊維複合材料から製造されている。それによって遠心機容器の重量を低減すると同時に個々の容器の高い安定性を達成できる。炭素繊維複合方式で構成される遠心機容器の領域を、いわゆる「巻付技術」によって製造することが有利である。その際にコアまたは「ライナー」とも呼ばれるスリーブが炭素繊維で巻き付けられる。ライナーは部材内に残留し、金属またはプラスチックから製造することができる。該ライナーは、さらに異なる壁強度をロータ半径方向およびロータ円周方向に有することができる。巻付け後にライナーは遠心機容器内に残り、その一部を形成する。このハイブリッド方式によって遠心機容器の安定性がさらに改善されると同時に比較的少ない重量が達成され、これがさらにロータの遠心分離特性を全体的に改善する。ライナーは択一的に遠心機容器の製造後でも該容器の中に嵌入または接着することができる。該ライナーは遠心機容器の全内面を被覆し、または部分的にのみ設けることができる。さらにライナーは、遠心機容器の蓋を収容するために形成することができる。そのために、ライナーが遠心機容器の開放領域で蓋に反対ねじと連通するねじを有する場合に有利である。
【００１９】
別の好ましい一実施形態において、環状槽はその底面領域に遠心機容器の位置決め用の位置決め手段を有する。この位置決めは、遠心機容器の位置決めと択一的または付加的に外壁および内壁の内側の凹所によって行うことができる。位置決め手段は、たとえば遠心機容器の底面領域内でそれと連通する凹部または穴部に係合する突起部またはラッチとして形成されている。この位置決めは、好ましくはロータ円周方向に行われる。そのほかにロータ半径方向への位置決めも可能である。
【００２０】
本発明は、さらに上述のようにロータのロータハウジングの中に挿入可能であるサンプル容器用のアダプタに関する。さらに、ロータ円周方向へのアダプタの最大壁強度は、ロータ半径方向へのアダプタの最大壁強度よりも大きい。それによってアダプタのスポーク作用が改善され、その結果、ロータの安定性も高まる。
【００２１】
有利な一実施形態において、アダプタは楕円形の外部輪郭を有する。この関連性においてアダプタの横断面から見た外部輪郭が重要である。楕円形の形成が本質的にアダプタの全長に沿って考慮される場合に有利である。ロータ槽の中に挿入された状態で、アダプタは、楕円形のアダプタの長手側が少なくともその頂点の領域でロータ槽内壁に当接するように整列されている。この当接は、直接ロータ壁またはそのために設けた凹所で行うことができる。少なくとも外壁の内側の領域でアダプタは平面的に壁に当接する。楕円形のアダプタの形成によってアダプタの当接面が外壁の内側で拡大され、その結果、力をより大きい平面にわたって配分してアダプタに伝達することができ、アダプタのより確実な支承が生じる。つまり特に従来技術から公知の円形の外部輪郭に対して全体的安定性が改善される。同時に楕円形の成形によって簡単に製造される方法で円周方向への壁の壁強度を拡大することができる。
【００２２】
択一的に、アダプタは本質的に三角形の外部輪郭を有することが有利である。その際にアダプタは、環状槽の中に挿入された状態で片側で平面的に環状槽の外壁の内側に当接することが保証される。これは、アダプタの前記形成形態が一方で容易に製造され、他方で外壁の内側でのアダプタの平面的な当接のために特に好適であるため有利である。三角形の外部輪郭によって円周方向への壁強度をより大きい費用をかけずに補強して形成することができる。
【００２３】
別の有利な一実施形態において、アダプタはその中心軸に対して偏心的に、サンプル容器が挿入可能である凹所を具備している。その際にアダプタは、外壁の内側に対するサンプル容器の中心軸の平均間隔が内壁の内側に対するその平均間隔よりも小さくなるようにロータ内に配設される。それによってサンプル容器の中心軸がアダプタの中心軸と一致する状況と比較して、ロータ中心軸に対するサンプル容器のより大きい間隔と共に遠心分離物の領域でより高い回転速度を達成することができる。
【００２４】
別の有利な一実施形態において、アダプタは環状槽内に接着される。環状槽でのアダプタの当接面の接着によってアダプタの補強作用がさらに向上される。圧縮力のほかに、接着によって引張力および剪断力もアダプタから取り込むことができる。環状槽内に取り囲んで配設されるアダプタの場合は、１つのアダプタのみを接着し、他方を接着せずに環状槽内へ差し込むことも可能である。
【００２５】
以下、本発明は図面に示した実施例を利用してより詳しく説明する。
図中、同じ部分は同じ参照数字を付けている。
【発明を実施するための最良の形態】
【００２６】
図１に、一体構造のロータハウジング１の縦断面図を示しており、そのロータハブ２は上方へ先細になる円錐台３の中央部分で中心に配設され、これはロータハブ２と共にロータハウジング１の中央部分を形成する。円錐台３は環状槽４の部分であり、その内壁４０の大部分を形成する。さらに環状槽４は上方へ先細になる中空円錐台を円錐台３に対向する側に有し、中空円錐台５はロータハウジング１の外壁３０を形成する。環状槽４は内壁４１の内側および外壁３１の内側と、内壁４２の外側および外壁３２の外側とを有する。外周領域は環状槽４によって形成される。ロータ回転軸２０は中心でロータハブ２を通して延在し、環状槽４の中心軸２１はロータ回転軸２０と共に約４５゜の角度αを成す。角度αは別の一実施形態において別の大きさにすることができる。環状槽４は外壁３１の内側に設けた複数の凹所１０を有する。
【００２７】
図２は、円周方向に均一に配分してアダプタ２４ｄが配設されたロータの縦断面図の透視図である。アダプタ２４ｄは本質的に円筒形に形成されており、外壁３１の内側に形成される凹所１０の中で当接する。環状槽４内で取り囲まれるアダプタ２４ｄの並置によって、前記環状槽４がスポーク状に補強される。不均一なロータの負荷の場合でさえ、たとえばアダプタ２４ｄの幾つかだけがサンプル容器（ここに図示せず）を充填され、他が空の状態にとどまる場合、アダプタ２４ｄがスポークのように作用するので、ロータ本体１の長楕円化は発生しない。アダプタ２４ｄは圧縮力や引張力の取り込みのために形成されている。ロータハブ２周りに共心的に環状円盤として形成される押え体２６が有る。押え体２６は２つのストッパの間で往復して回転可能であり、解除位置でアダプタ２４ｄを解放し、また保持位置で該アダプタを固定する。押え体２６は、該押え体２６が保持位置で法線力をアダプタ２４ｄに取り込み、それによって該アダプタが環状槽４に対して押圧されるように形成されている。それによってアダプタ２４ｄのスポーク作用が高められる。押え体２６は、サンプル容器が常時保持位置でもアダプタ２４ｄの中に繰り入れかつ繰り出しできるように寸法決めされている。
【００２８】
図３は平面図によるロータハウジング１の部分断面図である。外壁３１の内側に凹所１０ａが形成されており、これは内壁４１の内側に形成される凹所１２ａに対向する。これらの凹所１０ａ、１２ａの中にアダプタ２４ａとして形成される遠心機容器が平坦に当接する。アダプタ２４ａの中に円筒形の凹所２５が形成されており、その中にサンプル容器１１ａが形状嵌合式に挿入されている。アダプタ２４ａおよびサンプル容器１１ａの中心軸は重なり合う。すなわちサンプル容器１１ａはアダプタ２４ａの中心に配設されている。サンプル容器１１ａがすき間嵌めにより帰属するアダプタ２４ａの中に挿入されるだけで充分である。アダプタ２４ａは楕円形の外部輪郭を有し、該アダプタはそれぞれ頂点の領域で凹所１０ａ、１２ａ内のその長手側に当接する。環状槽４の円周方向へのアダプタ２４ａの最大壁強度ｂはロータ半径方向への壁強度ｃよりも大きいことが識別される。さらに凹所１０ａは平面図で円弧部分の形状を有し、円弧が第１の半径Ｒ１を有する。この第１の半径Ｒ１に帰属する中心点Ｍ１は環状槽４の外側に配設されており、ロータの中心軸方向へ向かう側にある。この第１の半径Ｒ１は内壁４２の外側と外壁３２の外側との間の半分の間隔よりも大きい。この両者の外側３２、４２の間の間隔は、図３で“ａ”で表されている。環状槽４の内壁４１の内側での凹所１２ａは、半径Ｒ１で設けてもよい。これは、それによって凹所１２ａの領域でこの凹所１２ａと可能な限り完全に接触するように環状槽４の中に挿入されるサンプル容器が全体的にさらに大きい接触面と共に環状槽４内のさらに確実な保持を達成できるので有利である。
【００２９】
遠心機容器は三角形に形成することもできる。対応して成形されるアダプタ２４ｂは図４に示されている。アダプタ２４ｂの内部輪郭も外部輪郭も三角形に形成されている。それに応じてアダプタ２４ｂの中に挿入されるサンプル容器１１ｂも三角形に形成されている。円周方向への最大壁強度ｂはこの場合も半径方向への最大壁強度ｃよりも大きい。三角形の辺は直線としてではなく、円弧部分として考慮されている。この場合、三角形の頂点は内壁３１の内側に係合することができ、この頂点は面取りして形成してもよい（図４の凹所１２ｂ参照）。基本的に円弧部分は円弧に類似する形状で代用してもよい。円弧状に形成される三角形の辺を有する三角形に代わり、サイクロイドになる三角形の辺を用いてもよい。その場合このような遠心機容器の外部輪郭は、本質的に３アーチ形の外トロコイドに相当する。アダプタ２４ｂの三角形の辺は本質的に完全に凹所１０ｂに当接する。この場合も凹所１０ｂは第１の半径Ｒ１を有する。
【００３０】
ロータの半径方向と円周方向への力を良好に受容できるようにするため、図５記載の実施形態が提案される。環状槽４の内側３１および４１は、この場合に凹所１０ｃ、１２ｃを設けており、これらは異なる半径の組合せによって生じる。凹所１０ｃは、この場合、円弧角φ１をもつ第１の円弧部分を有し、この円弧部分の端部に、第１の半径Ｒ１よりも小さい第２の半径Ｒ２を有する各々１つの付加的な円弧部分が続く。この各々第２の円弧部分１５は円弧角φ２を有する。極端な場合では半径Ｒ１が無限大であり、その結果、両方の円弧部分１５の間は直線になる。円弧角φ１の割合が境界的な場合でほぼ０゜になるとき、両方の円弧部分は輪郭１５と互いに接触し、図７に示した凹所１０ｄ、１２ｄが生じる。円弧部分１５は擺曲線（サイクロイド）または第４位数の曲線（たとえばカージオイド）として形成してもよい。図５のサンプル容器１１ｃは近似的に台形の外部輪郭を有し、凹所１０ｃ、１２ｃの中に当接する側は円弧部分として形成されている。図６にアダプタ２４ｆが示されており、その外部輪郭は図５のサンプル容器１１ｃのそれに近似する。アダプタ２４ｆの中に円形の凹所２５が形成されており、これは円筒形の市販のサンプル容器（ここに図示せず）を収容するために形成されている。内側３１および４１でのアダプタ２４ｆの比較的大きい当接面によって、半径方向への力を特に良好に受容かつ運び去ることができる。
【００３１】
図８は、平面図による楕円形の外部輪郭を有する２４ｃである。２４ｃの中に凹所２５が円筒形のサンプル容器（ここに図示せず）を形状嵌合式に収容するために形成されている。このアダプタ２４ｃの内部の円形の凹所２５の位置は偏心的である。凹所２５は楕円形のアダプタ２４ｃの中心１８の外部に配設されている。凹所２５はさらに、その中心軸が本質的にアダプタ２４ｃの中心軸と平行になるように配設されている。
【００３２】
図９は、曲げに強い炭素繊維強化プラスチックから製造される蓋２６によって強化されるアダプタ２４ｅの断面側面図を示す。この蓋２６はねじ２７を利用してアダプタ２４ｅと共にねじ止めされる。蓋２６は圧力支持体として作用し、このようにアダプタ２４ｅの長楕円化を阻止する。蓋の支持作用に加えて、蓋２６はアダプタ２４ｅを密閉する。
【００３３】
図１０はアダプタ２４ｆの断面側面図である。アダプタ２４ｆはスリーブとして形成されており、かつ内部に置かれるライナー２８を有する。ライナー２８は貫通して形成されており、アダプタ２４ｆの全内部表面と覆う。本例において、ライナー２８は金属から製造され、円筒形の形状を有する。しかしライナーは、基本的にその他のあらゆる幾何学的形状、たとえば楕円形、台形、三角形等々で製造してもよい。ライナー２８周りに巻付技術で製造される炭素繊維複合ジャケット２９が配設されている。アダプタ２４ｆの製造時に炭素繊維がライナー２８周りに巻き付けられ、その結果、該炭素繊維がジャケット２９を形成し、ライナー２８を完全に被覆する。
【図面の簡単な説明】
【００３４】
【図１】切断面に置かれる凹所を有するロータの概略縦断面図である。
【図２】挿入されるアダプタを有するロータの概略縦断面図の透視図である。
【図３】楕円形のアダプタを有する平面図でのロータハウジングの概略部分断面図である。
【図４】三角形のサンプル容器を有する平面図でのロータハウジングの概略部分断面図である。
【図５】台形状のサンプル容器を有する平面図でのロータハウジングの概略部分断面図である。
【図６】台形状のアダプタを有する平面図でのロータハウジングの概略部分断面図である。
【図７】２つの円弧部分からなる凹所を有する平面図でのロータハウジングの概略部分断面図である。
【図８】偏心的に配設されるサンプル容器を有するアダプタである。
【図９】曲げに強い蓋を有するアダプタの概略断面側面図である。
【図１０】ライナーを有するアダプタの概略断面側面図である。
【符合の説明】
【００３５】
１…ロータハウジング、２…ロータハブ、３…円錐台、４…環状槽、５…中空円錐台、１０…凹所、２０…ロータ回転軸、３０…外壁、４０…内壁。
【図１】
2006175439.tif 000003
【図２】
2006175439.tif 000004
【図３】
2006175439.tif 000005
【図４】
2006175439.tif 000006
【図５】
2006175439.tif 000007
【図６】
2006175439.tif 000008
【図７】
2006175439.tif 000009
【図８】
2006175439.tif 000010
【図９】
2006175439.tif 000011
【図１０】
2006175439.tif 000012